(57)【特許請求の範囲】
【請求項１】
被写体を撮像して画像を得る電子スチルカメラにおいて、前記電子スチルカメラは、レンズ系と、前記レンズ系を介して結像された被写体の像を電気信号に変換する撮像素子と、前記レンズ系または撮像素子を保持し、非撮影時は前記レンズ系の光軸と、前記撮像素子との結像面の中心とをずらし、かつレンズ系と撮像素子とを互いに隣り合わせて配置し、撮影時には、前記機構手段はレンズ系の光軸と撮像素子の結像面の中心を一致させるように前記レンズ系をそのレンズ面の法線方向に移動させ、前記撮像素子を前記結像面に対して水平方向に移動させる機構手段とを有すること特徴とする電子スチルカメラ。
【請求項２】
被写体を撮像して画像を得る電子スチルカメラにおいて、前記電子スチルカメラは、レンズ系と、撮像素子と、前記レンズ系を保持し、撮像素子の結像面に対して被写体の方向を前方とすると、非撮影時にはレンズ系の後端が撮像素子の結像面または撮像素子を保持している基板より後方になるようにレンズ系を配置し、撮影時には前記レンズ系をレンズ面に対して法線方向へ移動させる第１の機構手段と、前記撮像素子または撮像素子を保持している基板を保持し、非撮影時には前記撮像素子との結像面の中心とをずらし、かつレンズ系と撮像素子とを互いに隣り合わせて配置し、撮像時には前記第１の機構手段によって移動したレンズ系が被写体の像を結像する位置へ撮像素子または撮像素子を保持している基板を水平にスライドさせることで、レンズ系の光軸と撮像素子の結像面の中心とを一致させる第２の機構手段とを有することを特徴とする電子スチルカメラ。
【請求項３】
被写体を撮像して画像を得る電子スチルカメラにおいて、前記電子スチルカメラは、レンズ系と、撮像素子と、前記レンズ系を保持し、撮像素子の結像面に対して被写体の方向を前方とすると、非撮影時にはレンズ系の後端が撮像素子の結像面または撮像素子を保持している基板より後方になるようにレンズ系を配置し、前記レンズ系の光軸と、前記撮像素子との結像面の中心とをずらし、かつレンズ系と撮像素子とを互いに隣り合わせて配置し、撮影時には撮影時にはレンズ系を前記撮像素子の結像面の前方へ移動させ、レンズ系の光軸と撮像素子の結像面の中心を一致させる機構手段とを有することを特徴とする電子スチルカメラ。
【請求項４】
被写体を撮像して画像を得る電子スチルカメラにおいて、前記電子スチルカメラは、焦点距離の異なる複数のレンズ系と、撮像素子と、撮影時に前記複数のレンズ系の何れを用いるかを選択できる選択手段と、前記レンズ系を保持し、撮像素子の結像面に対して被写体の方向を前方とすると、非撮影時にはレンズ系それぞれの後端が撮像素子の結像面または撮像素子を保持している基板より後方になるようにそれぞれのレンズ系を配置し、前記複数のレンズ系の光軸と、前記撮像素子との結像面の中心とをずらし、かつ複数のレンズ系と撮像素子とを互いに隣り合わせて配置し、撮影時には前記選択手段により選択されたレンズ系を前記撮像素子の結像面の前方へ移動させ、レンズ系の光軸と撮像素子の結像面の中心を一致させる機構手段とを有することを特徴とする電子スチルカメラ。
【請求項５】
被写体を撮像して画像を得る電子スチルカメラにおいて、前記電子スチルカメラは、レンズ系と、撮像素子と、前記レンズ系を回転軸の外側に保持し、非撮影時には前記レンズ系の光軸と、前記撮像素子との結像面の中心とをずらし、かつレンズ系と撮像素子とを互いに隣り合わせて配置し、撮影時にはレンズ系を保持したまま回転移動を行い、レンズ系の光軸と撮像素子の結像面の中心とを一致させる回転機構と、非撮像時は撮像素子の結像面に対して被写体の方向を前方とすると、レンズ系の後端が撮像素子または撮像素子を保持している基板より後方になるようにレンズ系を配置し、撮影時には前記回転機構の回転に合わせてレンズ系をレンズ面に対して法線方向に移動させる機構手段とを有することを特徴とする電子スチルカメラ。
【請求項６】
電子スチルカメラの電源をオンまたはオフする機構的な電源スイッチを有し、移動を行うレンズ系または撮像素子または回転機構が、その移動を終えたとき前記電源スイッチが入るように配置することを特徴とする請求項１〜５のいずれかに記載の電子スチルカメラ。
【請求項７】
電子スチルカメラの電源をオンまたはオフする機構的な電源スイッチを有し、電源スイッチを入れたとき、移動を行うレンズ系または撮像素子または回転機構が、その移動を開始することを特徴とする請求項１〜５のいずれかに記載の電子スチルカメラ。
【発明の詳細な説明】
【０００１】
【発明の属する技術分野】
本発明は、電子スチルカメラの小型・薄型化に関するものである。
【０００２】
【従来の技術】
撮像素子および撮像レンズの小型化、構造の簡略化により、小型電子スチルカメラが各種提供されているが、撮像レンズを撮像素子の結像面前面に配置するため少なくとも撮像レンズの分だけカメラ本体の前方方向の寸法が大きくなる。従来の技術では、図３２は従来の電子スチルカメラの概略説明図であり、図において、７０は伸縮可能な撮像レンズ、７１は基板上に撮像素子および周辺ＩＣを実装した撮像手段である。図に示すように伸縮方式の撮像レンズ７１を用いて、非撮影時には前記撮像レンズ７１を縮めることにより電子スチルカメラの小型・薄型化を図っていた。
【０００３】
また、図３３、図３４、および図３５は例えば特公平５−１１０９２０号公報に記載された電子スチルカメラの構成の概略を示す図である。図３３において、８０、８１はレンズ、８２は基板上に撮像素子および周辺ＩＣを実装した撮像手段、８３、８４、８５、８６、８７は防塵シャッタ、８９、９０はジョイントである。上記電子スチルカメラは図３１に示すように、３つのブロックをそれぞれジョイント８９、９０で繋ぐように構成されており、レンズ８０、８１を介した光は撮像手段８２上に実装している撮像素子の結像面へ結像する。図３５は図３３に示した電子スチルカメラの鳥瞰図である。図３５に示すように撮影時は３つのブロックを重ね、非撮像時の時は図３４に示すように３つのブロックを平らにして、持ち運び時や収納時には薄くできるように構成している。
【０００４】
【発明が解決しようとする課題】
従来の電子スチルカメラは伸縮可能な撮像レンズを用いるように構成されているので、撮像レンズの構成が複雑であり、撮像レンズの縮小に限界があるため撮像レンズ内に用いているレンズの枚数で厚さが制限され、一定以上の薄型化は望めないという問題点があった。
【０００５】
また、図３３に示した電子スチルカメラの構成の場合は、それぞれ分離した３つのブロックを繋ぐジョイントを頑丈かつ正確に構成しなければ光軸がずれやすいという問題点があった。
【０００６】
さらにまた、図３３に示した電子スチルカメラの構成の場合は、３つのブロックのうち２つのブロックはレンズ部のみであり、レンズの回りにデッドスペースが生じたりジョイント部の部分を設けなければならないため小型化に不利という問題点があった。
【０００７】
本発明は上記の問題点を解消するためになされたもので、簡単な構成で小型・薄型の電子スチルカメラを得ることを目的する。
【０００８】
【課題を解決するための手段】
本発明に係る電子スチルカメラは、非撮影時はレンズ系の光軸と撮像素子の結像面の中心とをずらし、かつレンズ系と撮像素子とを並べて配置し、撮影時には、レンズ系の光軸と撮像素子の結像面の中心とを一致させるようにレンズ系をそのレンズ面の法線方向に移動させ、撮像素子を結像面に対して水平方向に移動させるように構成したものである。
【０００９】
また、非撮影時はレンズ系の後端を撮像素子または撮像素子を保持している基板より後方になるように配置し、撮影時には撮像素子およびレンズ系を移動させるように構成したものである。
【００１０】
また、非撮影時はレンズ系の後端を撮像素子または撮像素子を保持している基板より後方になるように配置し、撮影時にはレンズ系を撮像素子の結像面の前方へ移動させるように構成したものである。
【００１１】
また、非撮影時はレンズ系を横に寝かして、撮像素子または撮像素子を保持している基板より後方になるように配置し、撮影時にはレンズ系を回転移動させるように構成したものである。
【００１２】
また、非撮影時は複数のレンズ系の後端を撮像素子または撮像素子を保持している基板より後方になるように配置し、撮影時には何れか１つのレンズ系を撮像素子の結像面の前方へ移動させるように構成したものである。
【００１３】
また、非撮影時はレンズ系の後端を撮像素子または撮像素子を保持している基板より後方になるように配置し、撮影時にはレンズ系を回転機構によって回転移動させるように構成したものである。
【００１４】
また、上記のようなレンズ系、撮像素子等の移動を行ったときに電子スチルカメラの電源を入れるように構成したものである。
【００１５】
また、電子スチルカメラの電源を入れると、上記のようなレンズ系、撮像素子等の移動を行うように構成したものである。
【００１６】
【発明の実施の形態】
以下、本発明の実施の形態を示す図面に基づいて具体的に説明する。
実施の形態１．
図１は本発明の実施の形態１である電子スチルカメラの非撮影時の構成を示す図、図２は本発明の実施の形態１である電子スチルカメラの撮影時の構成を示す図である。図において、１は複数のレンズから構成されている撮像レンズ、２は機構手段、３は基板上に撮像素子を配置している撮像手段、５は電子スチルカメラの筐体である。上記の様に構成された電子スチルカメラについてその動作を説明する。
【００１７】
非撮影時には図１に示すように、撮像レンズ１と撮像手段３はそれぞれ並べて配置している。機構手段２は撮像レンズ１または撮像手段３または撮像レンズ１および撮像手段３の両方を保持している。撮像手段３は被写体を撮像するための撮像素子、前記撮像素子を駆動させるために必要なＩＣ、および信号処理回路が基板上に配置されている。上記のように機構手段２は非撮像時のときは撮像レンズ１を筐体５内に収さめ、撮像手段３と並列に並らべ、かつ撮像レンズ１の後端は撮像手段３より後方（図１中、電子スチルカメラの後方）になるように配置する。本発明において図１に示すように撮像レンズ１および撮像素子３の結像面に対して被写体の方向を電子スチルカメラの「前方」（図１中前方）とし、逆の方向を「後方」（図１中後方）とする。
【００１８】
また、撮影時には図２に示すように、前記機構手段２は撮像レンズ１または撮像手段３、または撮像レンズ１および撮像手段３の両方を移動させ、撮像レンズ１の光軸と撮像手段３上に配置している撮像素子の結像面の中心を一致させる。上記のように構成することによって非撮影時のときは撮像レンズ１を撮像手段２の横に、かつ撮像レンズ１の後端を意匠５の後方または後方近くまで収納するため、電子スチルカメラの薄型化をはかることができる。
【００１９】
実施の形態２．
図３は本発明の実施の形態２である電子スチルカメラの非撮影時の構成を示す図、図４は本発明の実施の形態２である電子スチルカメラの撮影時の構成を示す図である。図において、１は複数のレンズから構成されている撮像レンズ、３は基板上に撮像素子を配置している撮像手段、５は電子スチルカメラの筐体、６は前記撮像レンズを移動させる第１の機構手段、７は上記撮像手段を移動させる第２の機構手段である。上記のように構成された電子スチルカメラについてその動作を説明する。
【００２０】
非撮影時には図３に示すように、撮像レンズ１と撮像手段３はそれぞれ並べて配置している。第１の機構手段６は撮像レンズ１を保持し、撮像レンズ１をレンズ面に対して法線方向に移動させるように構成している。撮像手段３は実施の形態１と同様に被写体を撮像するための撮像素子、前記撮像素子を駆動させるために必要なＩＣ、および信号処理回路が基板上に配置されている。また、第２の機構手段６は前記撮像手段３を撮像素子の結像面に対して水平方向に移動できるように構成している。上記のように電子スチルカメラは非撮像時のときは撮像レンズ１は筐体５内に収まり、撮像手段３と並列に並んでいて、かつ撮像レンズ１の後端は撮像手段３より後方（図３中、電子スチルカメラの後方）になるように配置する。本発明において図１に示すように撮像レンズ１および撮像素子３の結像面に対して被写体の方向を電子スチルカメラの「前方」（図３中前方）とし、逆の方向を「後方」（図３中後方）とする。
【００２１】
撮像時には図４に示すように、上記撮像レンズ１は第１の機構手段６によって光軸方向へ移動して筐体５から外部へ出て、撮像レンズ１が移動した下部のスペースへ、撮像手段３が第２の機構手段７によって平行移動する。上記のように第１、第２の機構手段６、７によって撮像レンズ１と撮像手段３とが移動し、撮像レンズ１の光軸と撮像手段３上に配置している撮像素子の結像面の中心を一致させて撮像を行う。上記のように構成することによって非撮影時のときは撮像レンズ１を撮像手段２の横に、かつ撮像レンズ１の後端を意匠５の後方または後方近くまで収納するため、電子スチルカメラの薄型化をはかることができる。
【００２２】
また、図５は本発明の実施の形態２の他の例である電子スチルカメラの非撮影時の構成を示す図、図６は本発明の実施の形態２の他の例である電子スチルカメラの撮影時の構成を示す図である。図において、８は撮像レンズ１を外部から保護するレンズキャップである。上記レンズキャップ８は図６に示すように撮影時には水平方向へスライドすることによって、場所を取らずかつ非撮影時は撮像レンズ１の保護をする。
【００２３】
実施の形態３．
図７は本発明の実施の形態３である電子スチルカメラの非撮影時の構成を示す図、図８は本発明の実施の形態３である電子スチルカメラの撮影時の構成を示す図である。図において、撮像レンズ１、撮像手段３、筐体５は実施の形態１と同様である。１０は前記撮像レンズを移動させる機構手段である。上記のように構成した電子スチルカメラについてその動作を説明する。
【００２４】
非撮像時には図７に示すように、撮像レンズ１は非撮影時には筐体５内に収まり、撮像レンズ１と撮像手段３はそれぞれ並べて配置され、かつ撮像レンズ１の後端は実施の形態２と同様に撮像手段３より後方になるように配置する。
【００２５】
撮像時には図８に示すように、上記撮像レンズ１は機構手段１０によって前記撮像手段３の撮像素子の結像面の前方へ移動して筐体５から外部へ出る。上記撮像レンズ１の移動により、撮像レンズの光軸と撮像手段３上に配置している撮像素子の結像面の中心を一致させて撮像を行う。上記のように構成することによって非撮影時のときは撮像レンズ１を撮像手段２の横に、かつ撮像レンズ１の後端を意匠５の後方または後方近くまで収納するため、電子スチルカメラの薄型化をはかることができる。
【００２６】
実施の形態４．
図９は本発明の実施の形態３である電子スチルカメラの非撮影時の構成を示す図、図１０は本発明の実施の形態３である電子スチルカメラの撮影時の構成を示す図、図１１は本発明の実施の形態３である電子スチルカメラの非撮影時の構成を示す図である。図において、撮像手段３、筐体５は実施の形態２と同様である。２０は第１の撮像レンズ、２１は第１の撮像レンズより焦点距離の短い第２の撮像レンズ、２２は第１の撮像レンズを移動させる第１の機構手段、２３は第２の撮像レンズ２１を移動させる第２の機構手段、２４は上記２つの撮像レンズのうち撮影時に何れの撮像レンズを用いるかを選択できる選択手段である。上記のように構成した電子スチルカメラについてその動作を説明する。
【００２７】
非撮像時には図９に示すように、第１の撮像レンズ２０および第２の撮像レンズ２１は筐体５内に収まり、第１の撮像レンズ２０と第２の撮像レンズ２１と撮像手段３は図９に示すようにそれぞれ並べて配置されている。また、第１の撮像レンズ２０の後端と第２の撮像レンズ２１の後端はそれぞれ撮像手段３より後方に配置されている。本発明において図９に示すように撮像レンズ１および撮像素子３の結像面に対して被写体の方向を電子スチルカメラの「前方」（図９中前方）とし、逆の方向を「後方」（図９中後方）とする。
【００２８】
撮像時、使用者が、望遠側の撮像を行いたいときは、選択手段２４により第１の撮像レンズ２０を選択すると、図１０に示すように上記第１の撮像レンズ２０は第１機構手段２２によって前記撮像手段３の撮像素子上へ移動して筐体５から外部へ出る。上記第１の撮像レンズ２０の移動により、第１の撮像レンズ２０の光軸と撮像手段３上に配置している撮像素子の結像面の中心を一致させて撮像を行う。また、使用者が、広角側の撮像を行いたいときは、選択手段２４により第２の撮像レンズ２１を選択すると、図１１に示すように上記第２の撮像レンズ２１は第２の機構手段２３によって前記撮像手段３の撮像素子上へ移動して筐体５から外部へ出る。上記第２の撮像レンズ１の移動により、第２の撮像レンズ２１の光軸と撮像手段３上に配置している撮像素子の結像面の中心を一致させて撮像を行う。上記のように構成することによって非撮影時のときは第１の撮像レンズ２０および第２の撮像レンズ２１を撮像手段２の横に、かつ第１、第２の撮像レンズ２０、２１の後端を意匠５の後方または後方近くまで収納するため、電子スチルカメラの薄型化をはかることができる。
【００２９】
本実施の形態では異なった焦点距離を有する撮像レンズを２つ用いたが、撮像レンズは２つに限らず、複数の撮像レンズとその撮像レンズの移動を行う機構手段を有していれば、撮像レンズをいくつ有していても同様の効果をはかることができる
【００３０】
実施の形態５．
図１２は本発明の実施の形態５である電子スチルカメラの撮影時の長焦点側の撮像レンズを用いた構成を示す図、図１３は本発明の実施の形態５である電子スチルカメラの撮影時に短焦点側の撮像レンズを用いた構成を示す図である。図において、撮像手段３、筐体５は実施の形態２と同様である。３０は撮像レンズ、３１は前記撮像レンズ３０を回転移動させる機構手段、３２は左右にスライドする移動筐体である。上記のように構成された電子スチルカメラについてその動作を説明する。
【００３１】
非撮像時には、撮像レンズ３０は筐体５内に収まり、図１２に示すように撮像レンズ３０の光軸と撮像素子の結像面とがほぼ平行になるようにして、撮像レンズ３０と撮像手段３はそれぞれ並べて配置されている。また、撮像レンズ３０の側面が撮像手段３より後方（図１０中、筐体５の後方）になるように配置している。
【００３２】
撮像時には図１３に示すように、上記撮像レンズ３０は機構手段３１によって前記撮像手段３の撮像素子上へ回転移動して筐体５から外部へ出る。また、撮像レンズ３０が回転移動すると共に移動筐体３２は撮像レンズが筐体５から外部に出れるようにスライドする。上記撮像レンズ３０の移動により、撮像レンズ３０の光軸と撮像手段３上に配置している撮像素子の結像面の中心を一致させて撮像を行う。上記のように構成することによって非撮影時のときは撮像レンズ３０を撮像手段２の横に、かつ撮像レンズ３０のレンズ面を撮像素子の結像面に垂直になるように撮像レンズ３０を横に寝かして、その側面を意匠５の後方または後方近くまで収納するため、電子スチルカメラの薄型化をはかることができる。
【００３３】
実施の形態６．
図１４は本発明の実施の形態６である電子スチルカメラの非撮影時の構成を示す図、図１５は本発明の実施の形態６である電子スチルカメラの撮影時の構成を示す図、図１６は本発明の実施の形態６である電子スチルカメラの非撮影時および撮影時の鳥瞰図である。図において、撮像手段３、筐体５は実施の形態２と同様である。４０は撮像レンズ、４１は前記撮像レンズ４０を保持し、かつレンズ面にたいして水平に回転する回転機構である。上記のように構成された電子スチルカメラについてその動作を説明する。
【００３４】
非撮像時には、撮像レンズ４０は筐体５内に収まり、かつ図１４に示すように回転機構４１に保持されて、撮像手段３と並べて配置されている。また、撮像レンズ４０の後端は撮像手段３より後方（図１２中、意匠５後方）になるように配置されている。本発明において図１４に示すように撮像レンズ４０および撮像素子３の結像面に対して被写体の方向を電子スチルカメラの「前方」（図１４中前方）とし、逆の方向を「後方」（図１４中後方）とする。
【００３５】
撮像時には図１５に示すように、上記回転機構４１を回転させると、撮像レンズ４０は回転機構と一緒に回転し、かつ撮像レンズ４０の光軸方向へ移動するように構成されている。図１６は鳥瞰図に示すように、上記撮像レンズ４０は回転機構４１によって前記撮像手段３の撮像素子上へ回転移動して筐体５から外部へ出る。上記撮像レンズ３０の移動により、撮像レンズ３０の光軸と撮像手段３上に配置している撮像素子の結像面の中心を一致させて撮像を行う。上記のように構成することによって非撮影時のときは撮像レンズ４０を撮像手段２の横に、かつ撮像レンズ４０の後端を意匠５の後方または後方近くまで収納するため、電子スチルカメラの薄型化をはかることができる。
【００３６】
実施の形態７．
図１７〜図２６は本発明の実施の形態７である電子スチルカメラを示す図である。図１７、図１９、図２１、図２３、図２５において、５０は電子スチルカメラの電源をオン／オフを行う機構的な電源スイッチである。また、図１８、図２０、図２２、図２４、図２６において、５５は電子スチルカメラの主電源とは別に設けた補助電源である。上記の様に構成された電子スチルカメラについてその動作を説明する。
【００３７】
図１７は本発明の実施の形態２で示した電子スチルカメラに電源スイッチを有する電子スチルカメラの構成図であり、実施の形態２で示したように撮像レンズ１および撮像手段３は撮像時には移動して撮像レンズ１の光軸と撮像手段３上に配置している撮像素子の結像面の中心を一致させる。本実施の形態において第１の機構手段６および第２の機構手段７は上記撮像レンズ１および撮像手段３の移動を使用者が手動で行えるように構成している。撮影時に使用者が第１および第２の機構手段６、７によって撮像レンズ１および撮像手段３を移動させると、前記撮像レンズ１および撮像手段３の何れかが移動を完了するときに機構的に電源スイッチ５０を入れ、電源スイッチ５０がオンすることによって撮像手段３に電源が入り、電子スチルカメラは撮像可能な状態になる。また、図１８に示すように上記移動を手動ではなく補助電源５５によって行い、前記撮像レンズ１および撮像手段３の何れかが移動を完了するときに機構的に電源スイッチ５０を入れてもよい。撮像レンズ１および撮像手段３を非撮影時のときに配置されていた場所にもどすと上記電源スイッチ５０は切れて電子スチルカメラの電源を落とす。
【００３８】
また、図１９は本発明の実施の形態３で示した電子スチルカメラに電源スイッチを有する電子スチルカメラの構成図であり、実施の形態３で示したように撮像レンズ１は撮像時には移動して撮像レンズ１の光軸と撮像手段３上に配置している撮像素子の結像面の中心を一致させる。本実施の形態において機構手段１０は上記撮像レンズ１の移動を使用者が手動で行えるように構成している。撮影時に使用者が機構手段１０によって撮像レンズ１を移動させると、前記撮像レンズ１は移動を完了するときに機構的に電源スイッチ５０を入れ、電源スイッチ５０がオンすることによって撮像手段３に電源が入り、電子スチルカメラは撮像可能な状態になる。また、図２０に示すように上記移動を手動ではなく補助電源５５によって行い、前記撮像レンズ１が移動を完了するときに機構的に電源スイッチ５０を入れてもよい。撮像レンズ１を非撮影時のときに配置されていた場所にもどすと上記電源スイッチ５０は切れて電子スチルカメラの電源を落とす。
【００３９】
さらにまた、図２１は本発明の実施の形態４で示した電子スチルカメラに電源スイッチを有する電子スチルカメラの構成図であり、実施の形態４で示したように第１の撮像レンズ２０または第２の撮像レンズ２１は撮像時には移動して、撮像レンズの光軸と撮像手段３上に配置している撮像素子の結像面の中心を一致させる。本実施の形態において第１の機構手段２２および第２の機構手段２３は上記第１の撮像レンズ２０および第２の撮像レンズの移動を使用者が手動で行えるように構成している。撮影時に使用者が第１の機構手段２０によって撮像レンズ１を移動させるか、第２の機構手段２１によって撮像レンズ２の移動をさせると、前記第１の撮像レンズ２０または第２の撮像レンズ２１は移動を完了するときに機構的に電源スイッチ５０を入れ、電源スイッチ５０がオンすることによって撮像手段３に電源が入り、電子スチルカメラは撮像可能な状態になる。また、図２２に示すように上記移動を手動ではなく補助電源５５によって行い、前記第１の撮像レンズ２０または第２の撮像レンズ２１が移動を完了するときに機構的に電源スイッチ５０を入れてもよい。第１の撮像レンズ２０および第２の撮像手段２１を非撮影時のときに配置されていた場所にもどすと上記電源スイッチ５０は切れて電子スチルカメラの電源を落とす。
【００４０】
さらにまた、図２３は本発明の実施の形態５で示した電子スチルカメラに電源スイッチを有する電子スチルカメラの構成図であり、実施の形態５で示したように撮像レンズ３０は撮像時には回転移動して撮像レンズ３０の光軸と撮像手段３上に配置している撮像素子の結像面の中心を一致させる。本実施の形態において機構手段３１は上記撮像レンズ３０の回転移動を使用者が手動で行えるように構成している。撮影時に使用者が機構手段３１によって撮像レンズ３０を回転移動させると、前記撮像レンズ３０は移動を完了するときに機構的に電源スイッチ５０を入れ、電源スイッチ５０がオンすることによって撮像手段３に電源が入り、電子スチルカメラは撮像可能な状態になる。また、図２４に示すように上記移動を手動ではなく補助電源５５によって行い、前記撮像レンズ３０が移動を完了するときに機構的に電源スイッチ５０を入れてもよい。撮像レンズ３０を非撮影時のときに配置されていた場所にもどすと上記電源スイッチ５０は切れて電子スチルカメラの電源を落とす。
【００４１】
さらにまた、図２５は本発明の実施の形態６で示した電子スチルカメラに電源スイッチを有する電子スチルカメラの構成図であり、実施の形態６で示したように撮像レンズ４０は撮像時には回転機構４１によって撮像手段３の撮像素子上へ回転移動し、撮像レンズ４０の光軸と撮像手段３上に配置している撮像素子の結像面の中心を一致させる。本実施の形態において回転機構４１は上記撮像レンズ４０の回転移動を使用者が手動で行えるように構成している。撮影時に使用者が回転機構４１によって撮像レンズ４０を回転移動させると、前記撮像レンズ４０または回転機構４１の何れかが移動を完了するときに機構的に電源スイッチ５０を入れ、電源スイッチ５０がオンすることによって撮像手段３に電源が入り、電子スチルカメラは撮像可能な状態になる。また、図２６に示すように上記回転移動を手動ではなく補助電源５５によって行い、前記撮像レンズ４０または回転機構４１の何れかが移動を完了するときに機構的に電源スイッチ５０を入れてもよい。撮像レンズ４０および回転機構４１を非撮影時のときに配置されていた場所にもどすと上記電源スイッチ５０は切れて電子スチルカメラの電源を落とす。
【００４２】
上記のように電源スイッチ５０を実施の形態２〜６に示した撮像レンズ１、２０、２１、３０、４０または撮像手段３または回転機構４１の移動に連動して、それらの移動が完了すると同時に電子スチルカメラに電源が入ることにより、撮像時に電源スイッチ５０と上記撮像レンズ１、２０、２１、３０、４０または撮像手段３または回転機構４１の移動の両方を行う必要なく簡便に電子スチルカメラを取り扱うことができ、また撮影終了後に、上記移動を行って撮像レンズ１、２０、２１、３０、４０の収納を行うだけで電源が切れるため電源の切り忘れを防ぐことができる。
【００４３】
実施の形態８．
図２７〜３１は本発明の実施の形態８である電子スチルカメラを示す図である。図において、６０は電源スイッチである。上記の様に構成された電子スチルカメラについてその動作を説明する。
【００４４】
図２７は本発明の実施の形態２で示した電子スチルカメラに電源スイッチを有する電子スチルカメラの構成図であり、本実施の形態において使用者は撮影時に電源スイッチ６０を入れて撮影を行うように構成してある。電源スイッチ６０を入れると電源スイッチ６０は撮像手段３の電源を入れ、かつ第１の機構手段４および第２の機構手段６へ撮像レンズ１および撮像手段３の移動を開始するように命令を出力する。第１および第２の機構手段４、６は実施の形態２で示したように撮像レンズ１の光軸と撮像手段３上に配置している撮像素子の結像面の中心を一致させるようにそれぞれを移動させる。上記のことによって使用者が電源スイッチ６０を押すだけで電子スチルカメラの電源が入り、撮像レンズ１および撮像手段３は移動して電子スチルカメラは撮像可能な状態になる。また、上記電源スイッチ６０は電源スイッチ６０を押して電子スチルカメラの電源を切るとき、前記第１、第２の機構手段４、６へ命令を送り、撮像レンズ１および撮像手段３を非撮像時のときに配置されている場所へ収納してから電子スチルカメラの電源を切る。
【００４５】
また、図２８は本発明の実施の形態３で示した電子スチルカメラに電源スイッチを有する電子スチルカメラの構成図であり、本実施の形態において使用者は撮影時に電源スイッチ６０を入れて撮影を行うように構成してある。電源スイッチ６０を入れると電源スイッチ６０は撮像手段３の電源を入れ、機構手段１０へ撮像レンズ１の移動を開始するように命令を出力する。機構手段１０は実施の形態３で示したように撮像レンズ１の光軸と撮像手段３上に配置している撮像素子の結像面の中心を一致させるように撮像レンズ１を移動させる。上記のことによって使用者が電源スイッチ６０を押すだけで電子スチルカメラの電源が入り、撮像レンズ１は移動して電子スチルカメラは撮像可能な状態になる。また、上記電源スイッチ６０は電源スイッチ６０を押して電子スチルカメラの電源を切るとき、前記機構手段１０へ命令を送り、撮像レンズ１を非撮像時のときに配置されている場所へ収納してから電子スチルカメラの電源を切る。
【００４６】
さらにまた、図２９は本発明の実施の形態４で示した電子スチルカメラに電源スイッチを有する電子スチルカメラの構成図であり、本実施の形態において使用者は撮影時に電源スイッチ６０を入れて撮影を行うように構成してある。電源スイッチ６０を入れると電源スイッチ６０は撮像手段３の電源を入れ、第１の機構手段２２へ第１の撮像レンズ２０の移動または第２の機構手段２３へ第２の撮像レンズ２１の移動を開始するように命令を出力する。機構手段１０は実施の形態３で示したように第１または第２の撮像レンズ２２、２３の光軸と撮像手段３上に配置している撮像素子の結像面の中心を一致させるように撮像レンズ１を移動させる。上記のことによって使用者が電源スイッチ６０を押すだけで電子スチルカメラの電源が入り、上記第１の撮像レンズ２０または第２の撮像レンズ２１は移動して電子スチルカメラは撮像可能な状態になる。また、上記電源スイッチ６０は電源スイッチ６０を押して電子スチルカメラの電源を切るとき、前記第１、第２の機構手段２２、２３へ命令を送り、第１の撮像レンズ２０および第２の撮像レンズ２１を非撮像時のときに配置されている場所へ収納してから電子スチルカメラの電源を切る。
【００４７】
さらにまた、図３０は本発明の実施の形態５で示した電子スチルカメラに電源スイッチを有する電子スチルカメラの構成図であり、本実施の形態において使用者は撮影時に電源スイッチ６０を入れて撮影を行うように構成してある。電源スイッチ６０を入れると電源スイッチ６０は撮像手段３の電源を入れ、機構手段３１へ撮像レンズ３０の移動を開始するように命令を出力する。機構手段１０は実施の形態５で示したように撮像レンズ３０の光軸と撮像手段３上に配置している撮像素子の結像面の中心を一致させるように撮像レンズ３０を移動させる。上記のことによって使用者が電源スイッチ６０を押すだけで電子スチルカメラの電源が入り、撮像レンズ３０は移動して電子スチルカメラは撮像可能な状態になる。また、上記電源スイッチ６０は電源スイッチ６０を押して電子スチルカメラの電源を切るとき、前記機構手段３１へ命令を送り、撮像レンズ３０を非撮像時のときに配置されている場所へ収納してから電子スチルカメラの電源を切る。
【００４８】
さらにまた、図３１は本発明の実施の形態６で示した電子スチルカメラに電源スイッチを有する電子スチルカメラの構成図であり、本実施の形態において使用者は撮影時に電源スイッチ６０を入れて撮影を行うように構成してある。電源スイッチ６０を入れると電源スイッチ６０は撮像手段３の電源を入れ、回転機構４１へ撮像レンズ４０の移動を開始するように命令を出力する。回転機構４１は実施の形態６で示したように撮像レンズ４０の光軸と撮像手段３上に配置している撮像素子の結像面の中心を一致させるように撮像レンズ４０を移動させる。上記のことによって使用者が電源スイッチ６０を押すだけで電子スチルカメラの電源が入り、撮像レンズ４０は移動して電子スチルカメラは撮像可能な状態になる。また、上記電源スイッチ６０は電源スイッチ６０を押して電子スチルカメラの電源を切るとき、前記回転機構４１へ命令を送り、撮像レンズ４０を非撮像時のときに配置されている場所へ収納してから電子スチルカメラの電源を切る。
【００４９】
上記のように電源スイッチ６０をいれると、実施の形態２〜６に示した撮像レンズ１、２０、２１、３０、４０または撮像手段３または回転機構４１の移動に連動して移動を行うことにより、撮像時に電源スイッチ６０と上記撮像レンズ１、２０、２１、３０、４０または撮像手段３または回転機構４１の移動の両方を行う必要なく簡便に電子スチルカメラを取り扱うことができ、また撮影終了後に、電源スイッチ６０を押すだけで上記移動を行って撮像レンズ１、２０、２１、３０、４０の収納を同時に行うことができる。
【００５０】
【発明の効果】
本発明は、以上説明したように構成されるので、以下に示すような効果を奏する。
【００５１】
撮像レンズおよび撮像素子の配置を撮像時と非撮影時とで変えることによって、非常に薄型の電子スチルカメラを得ることができる。
【００５２】
また、撮影時に撮像レンズを意匠から外側へ移動させ、その後方へ撮像素子を移動させることで、非常に薄型の電子スチルカメラを得ることができる。
【００５３】
また、撮像レンズを非撮像時は電子スチルカメラの筐体内に収納することによって、簡単な構成で、非常に薄型の電子スチルカメラを得ることができる。
【００５４】
また、焦点距離の異なる複数の撮像レンズを用いることができ、かつ非常に薄型の電子スチルカメラを得ることができる。
【００５５】
また、長焦点のレンズなど光軸方向の長さよりレンズ径のほうが短い撮像レンズを用いる場合でも非常に薄型の電子スチルカメラを得ることができる。
【００５６】
また、非常に薄型の電子スチルカメラを得ることができる。
【００５７】
また、薄型でかつ取り扱いの簡便な電子スチルカメラを得ることができる。
【図面の簡単な説明】
【図１】  本発明の実施の形態１である電子スチルカメラの非撮像時の構成を示す図である。
【図２】  本発明の実施の形態１である電子スチルカメラの撮像時の構成を示す図である。
【図３】  本発明の実施の形態２である電子スチルカメラの非撮像時の構成を示す図である。
【図４】  本発明の実施の形態２である電子スチルカメラの撮像時の構成を示す図である。
【図５】  本発明の実施の形態２である電子スチルカメラの他の例である非撮像時の構成を示す図である。
【図６】  本発明の実施の形態２である電子スチルカメラの他の例である撮像時の構成を示す図である。
【図７】  本発明の実施の形態３である電子スチルカメラの他の例である非撮像時の構成を示す図である。
【図８】  本発明の実施の形態３である電子スチルカメラの撮像時の構成を示す図である。
【図９】  本発明の実施の形態４である電子スチルカメラの非撮像時の構成を示す図である。
【図１０】  本発明の実施の形態４である電子スチルカメラの撮像時の構成を示す図である。
【図１１】  本発明の実施の形態４である電子スチルカメラの非撮像時の構成を示す図である。
【図１２】  本発明の実施の形態５である電子スチルカメラの撮影時に長焦点側の撮像レンズを用いた構成を示す図である。
【図１３】  本発明の実施の形態５である電子スチルカメラの撮像時に短焦点側の撮像レンズを用いた構成を示す図である。
【図１４】  本発明の実施の形態６である電子スチルカメラの非撮像時の構成を示す図である。
【図１５】  本発明の実施の形態６である電子スチルカメラの撮像時の構成を示す図である。
【図１６】  本発明の実施の形態６である電子スチルカメラの非撮像時および撮像時の鳥瞰図である。
【図１７】  本発明の実施の形態２で示した電子スチルカメラに電源スイッチを有する電子スチルカメラの構成図である。
【図１８】  本発明の実施の形態２で示した電子スチルカメラに電源スイッチおよび補助電源を有する電子スチルカメラの構成図である。
【図１９】  本発明の実施の形態３で示した電子スチルカメラに電源スイッチを有する電子スチルカメラの構成図である。
【図２０】  本発明の実施の形態３で示した電子スチルカメラに電源スイッチおよび補助電源を有する電子スチルカメラの構成図である。
【図２１】  本発明の実施の形態４で示した電子スチルカメラに電源スイッチを有する電子スチルカメラの構成図である。
【図２２】  本発明の実施の形態４で示した電子スチルカメラに電源スイッチおよび補助電源を有する電子スチルカメラの構成図である。
【図２３】  本発明の実施の形態５で示した電子スチルカメラに電源スイッチを有する電子スチルカメラの構成図である。
【図２４】  本発明の実施の形態５で示した電子スチルカメラに電源スイッチおよび補助電源を有する電子スチルカメラの構成図である。
【図２５】  本発明の実施の形態６で示した電子スチルカメラに電源スイッチを有する電子スチルカメラの構成図である。
【図２６】  本発明の実施の形態６で示した電子スチルカメラに電源スイッチおよび補助電源を有する電子スチルカメラの構成図である。
【図２７】  本発明の実施の形態２で示した電子スチルカメラに電源スイッチを有すうＲ子スチルカメラの構成図である。
【図２８】  本発明の実施の形態３で示した電子スチルカメラに電源スイッチを有する電子スチルカメラの構成図である。
【図２９】  本発明の実施の形態４で示した電子スチルカメラに電源スイッチを有する電子スチルカメラの構成図である。
【図３０】  本発明の実施の形態５で示した電子スチルカメラに電源スイッチを有する電子スチルカメラの構成図である。
【図３１】  本発明の実施の形態６で示した電子スチルカメラに電源スイッチを有する電子スチルカメラの構成図である。
【図３２】  従来技術における電子スチルカメラの構成図である。
【図３３】  従来技術における非撮影時の電子スチルカメラの構成図である。
【図３４】  従来技術における撮影時の電子スチルカメラの構成図である。
【図３５】  図３３に示した電子スチルカメラの鳥瞰図である。
【符号の説明】
１，３０，４０，７０  撮像レンズ、２，１０，３１  機構手段、３，７１，８２  撮像手段、５  筐体、６，２２  第１の機構手段、７，２３  第２の機構手段、８  レンズキャップ、２０  第１の撮像レンズ、２１  第２の撮像レンズ、２４  選択手段、３２  移動筐体、４１  回転機構、５０，６０  電源スイッチ、５５  補助電源、８０，８１  レンズ、８３，８４，８５，８６，８７  防塵シャッタ、８９，９０  ジョイント。
【図１】
0003644763.tif 000002
【図２】
0003644763.tif 000003
【図３】
0003644763.tif 000004
【図４】
0003644763.tif 000005
【図５】
0003644763.tif 000006
【図６】
0003644763.tif 000007
【図７】
0003644763.tif 000008
【図８】
0003644763.tif 000009
【図９】
0003644763.tif 000010
【図１０】
0003644763.tif 000011
【図１１】
0003644763.tif 000012
【図１２】
0003644763.tif 000013
【図１３】
0003644763.tif 000014
【図１４】
0003644763.tif 000015
【図１５】
0003644763.tif 000016
【図１６】
0003644763.tif 000017
【図１７】
0003644763.tif 000018
【図１８】
0003644763.tif 000019
【図１９】
0003644763.tif 000020
【図２０】
0003644763.tif 000021
【図２１】
0003644763.tif 000022
【図２２】
0003644763.tif 000023
【図２３】
0003644763.tif 000024
【図２４】
0003644763.tif 000025
【図２５】
0003644763.tif 000026
【図２６】
0003644763.tif 000027
【図２７】
0003644763.tif 000028
【図２８】
0003644763.tif 000029
【図２９】
0003644763.tif 000030
【図３０】
0003644763.tif 000031
【図３１】
0003644763.tif 000032
【図３２】
0003644763.tif 000033
【図３３】
0003644763.tif 000034
【図３４】
0003644763.tif 000035
【図３５】
0003644763.tif 000036